(57)【要約】【課題】透明板の設置作業が容易であるとともに透明板の設置状態が良好である遊技機を提供すること。【解決手段】補強部材１０７Ｌ，Ｒに取り付けられた上側押さえ部材１２０，下側押さえ部材１２１が、前側板ガラス１０１を前方の突条部１０５に押し付け、後側板ガラス１０２を後方の対向部１１０に押し付ける。これにより、板ガラス１０１，１０２の設置作業が容易になるとともに、板ガラス１０１，１０２を良好な状態で設置することができる。【選択図】      図３
2010227506.tif 000002
【特許請求の範囲】
【請求項１】
遊技機前面に配置されるとともに前方へ開放可能に設けられた前面扉を備えている遊技機において、
前記前面扉は、
前記前面扉より後方に配置されている遊技部品を前記遊技機の前方から視認可能とする開口部と、
前記開口部を覆うように前後に並べて配設された前側透明板および後側透明板と、
前記前側透明板の前面側が当接した前側当接部と、
前記前側当接部に対向して形成され、前記後側透明板の後面側が当接した後側当接部と、
前記前側当接部から前記前側透明板の厚さより小さい間隔をあけて、前記前側当接部に対向して設けられた弾性変形可能な前側押圧部と、
前記後側当接部から前記後側透明板の厚さより小さい間隔をあけて、前記後側当接部に対向して設けられた弾性変形可能な後側押圧部と、
前後方向において前記前側透明板と前記後側透明板との間の位置に設けられた押さえ部材固定部と、
前記押さえ部材固定部に固定され、前側に前記前側押圧部が形成され後側に前記後側押圧部が形成された押さえ部材と、
を備え、
前記前側透明板は、前記前側押圧部と前記前側当接部との間に挿入されており、かつ、前記前側押圧部により前記前側当接部に押し付けられており、
前記後側透明板は、前記後側押圧部と前記後側当接部との間に挿入されており、かつ、前記後側押圧部により前記後側当接部に押し付けられており、
前記押さえ部材は、前記後側当接部の前記後側透明板が挿入される側の端部より、前記後側透明板が挿入される側に、一部が突き出した位置に設けられていることを特徴とする遊技機。
【請求項２】
内底面を前記開口部側に向けて前記前面扉の背面に設けられ、前記前側透明板及び前記後側透明板が挿入された溝部を備え、
前記溝部の前側の内側面の少なくとも一部を前記前側当接部とし、前記溝部の後側の内側面の少なくとも一部を前記後側当接部とし、前記溝部の内底面の少なくとも一部を前記押さえ部材固定部とすることを特徴とする請求項１に記載の遊技機。
【請求項３】
前記前面扉の背面に当接部材が固定され、
前記当接部材は、
前記前面扉の背面側から後方へ延びる後延部と、その後端から前記開口部側へ延びて前記背面と対向する対向部と、
を備え、
前記後延部の少なくとも一部が前記押さえ部材固定部であり、前記対向部の少なくとも一部が前記後側当接部であり、前記前面扉の背面の少なくとも一部が前記前側当接部であることを特徴とする請求項１又は２に記載の遊技機。
【請求項４】
前記前面扉の背面の前記開口部の周縁にはリブ部が形成されており、
前記前側当接部は、
その後端部が前記リブ部の後端部と同一平面上に位置するように形成されていることを特徴とする請求項１乃至３のいずれか１つに記載の遊技機。
【請求項５】
前記押さえ部材は、前記透明板の挿入方向に並べて複数設けられており、
前記挿入方向の上流側に設けられた押さえ部材より、前記挿入方向の下流側に設けられた押さえ部材の方が、前後方向に厚く形成されていることを特徴とする請求項１乃至４のいずれか１つに記載の遊技機。
【発明の詳細な説明】
【技術分野】
【０００１】
本発明は、遊技機に関するものである。
【背景技術】
【０００２】
例えば、パチンコ機等の遊技機においては、遊技領域を前方から視認可能に開口した開口部に透明板を取り付けた前面扉が、遊技機本体に対して開放可能に設けられている。
【０００３】
透明板として、例えば、２枚のガラスを一体に形成した複層ガラスを採用している遊技機や、前後に並べて設置された板ガラスを採用している遊技機等が提案されている。
【０００４】
これらの遊技機における透明板の設置態様として、例えば、ガラス取り付け枠に溝を設け、その溝に板ガラスを挿入させているものがある。
【先行技術文献】
【特許文献】
【０００５】
特開平０６−１３４１２２号公報
【発明の概要】
【発明が解決しようとする課題】
【０００６】
上記のような、板ガラスを前面扉の取り付け枠の溝に挿入する遊技機においては、各板ガラスの取り付け作業を容易にするために溝の幅を板ガラスの厚さに対して充分に大きくすることも考えられる。しかし、設置した後は溝内で板ガラスが前後に動きやすくガタつきが生じ、例えば、パチンコ球がガラスに衝突した際に大きな衝突音が発生することが考えられる。
【０００７】
一方、上記のようなガタつきを抑えるために、溝の幅と板ガラスの厚さとをほぼ同一にすることも考えられるが、溝に板ガラスを挿入する作業が困難になることが推測される。
【０００８】
なお、上記問題は、パチンコ機に限って発生するものではなく、透明板が設けられた前面扉を有する他の遊技機、例えばスロットマシン等にも同様に発生し得る。
【０００９】
本発明は、上記例示した事情等に鑑みてなされたものであり、透明板の設置作業が容易であるとともに透明板の設置状態が良好である遊技機を提供することを目的とするものである。
【課題を解決するための手段】
【００１０】
以下、上記課題を解決するための手段について記載する。
【００１１】
請求項１記載の発明は、遊遊技機前面に配置されるとともに前方へ開放可能に設けられた前面扉を備えている遊技機において、
前記前面扉は、
前記前面扉より後方に配置されている遊技部品を前記遊技機の前方から視認可能とする開口部と、
前記開口部を覆うように前後に並べて配設された前側透明板および後側透明板と、
前記前側透明板の前面側が当接した前側当接部と、
前記前側当接部に対向して形成され、前記後側透明板の後面側が当接した後側当接部と、
前記前側当接部から前記前側透明板の厚さより小さい間隔をあけて、前記前側当接部に対向して設けられた弾性変形可能な前側押圧部と、
前記後側当接部から前記後側透明板の厚さより小さい間隔をあけて、前記後側当接部に対向して設けられた弾性変形可能な後側押圧部と、
前後方向において前記前側透明板と前記後側透明板との間の位置に設けられた押さえ部材固定部と、
前記押さえ部材固定部に固定され、前側に前記前側押圧部が形成され後側に前記後側押圧部が形成された押さえ部材と、
を備え、
前記前側透明板は、前記前側押圧部と前記前側当接部との間に挿入されており、かつ、前記前側押圧部により前記前側当接部に押し付けられており、
前記後側透明板は、前記後側押圧部と前記後側当接部との間に挿入されており、かつ、前記後側押圧部により前記後側当接部に押し付けられており、
前記押さえ部材は、前記後側当接部の前記後側透明板が挿入される側の端部より、前記後側透明板が挿入される側に、一部が突き出した位置に設けられていることを特徴とする。
【発明の効果】
【００１２】
遊技機への透明板の設置作業が容易であるとともに透明板の設置状態を良好にすることができる。
【図面の簡単な説明】
【００１３】
【図１】パチンコ機の正面図
【図２】パチンコ機の主要な構成を展開して示す斜視図
【図３】前面扉の背面図
【図４】前面扉の組立斜視図
【図５】図３における前面扉のＡ−Ａ線分部断面図
【図６】図３における前面扉のＢ−Ｂ線分部断面図
【図７】図３におけるＣ部拡大図
【図８】（ａ）上側押さえ部材の背面図、（ｂ）図８（ａ）におけるＤ−Ｄ線分部断面図
【図９】上側押さえ部材の組み付け斜視図
【図１０】（ａ）カバー部材の正面図、（ｂ）カバー部材の斜視図
【図１１】（ａ）上側押さえ部材の動作を示す側面模式図、（ｂ）上側押さえ部材の動作を示す側面模式図
【発明を実施するための形態】
【００１４】
以下、遊技機の一種であるパチンコ遊技機（以下、「パチンコ機」という）の一実施の形態を、図面に基づいて詳細に説明する。図１はパチンコ機の正面図、図２はパチンコ機の主要な構成を展開して示す斜視図である。なお、図１及び図２では便宜上パチンコ機の遊技領域内の構成を省略している。
【００１５】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００１６】
遊技機主部１２は、ベース体としての本体枠１３と、その本体枠１３の前方に配置される前面扉１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００１７】
本体枠１３には、図２に示すように、前面扉１４が回動可能に支持されており、正面視で左側を回動基端側とし右側を回動先端側として前方へ回動可能とされている。また、本体枠１３には裏パックユニット１５が回動可能に支持されている。
【００１８】
本体枠１３は、外形が外枠１１とほぼ同一形状をなす枠部７１に遊技盤８１が前面からはめ込まれることにより構成されている。遊技盤８１は合板よりなり、遊技盤８１の前面には遊技領域ＰＥが、円弧状に取り付けられた内，外レール部９５，９６および円弧状の面を有する球規制部７６により形成されている。
【００１９】
枠部７１における遊技盤８１の下方には、手前側へ突出するようにして遊技球発射ハンドル４１、遊技球発射機構９０が取り付けられている。遊技球発射ハンドル４１が操作されることにより、遊技球発射機構９０から遊技球が発射される。
【００２０】
遊技球発射機構９０は、球送り機構９１によって発射レール９２上に置かれた遊技球を打ち出す。打ち出された遊技球は遊技盤８１に取り付けられた内，外レール部９５，９６の間を通過し、遊技領域ＰＥに打ち出される。
【００２１】
次に、前面扉１４について説明する。なお、以下の説明では、図１、図２を参照するとともに、前面扉１４の詳細な構成については図３乃至図６を参照する。図３は前面扉の背面図、図４は背面側からみた前面扉の組立斜視図、図５は図３におけるＡ−Ａ線分部断面図、図６は図３におけるＢ−Ｂ線分部断面図である。なお、図５及び図６においては、便宜上、各種ランプ等の前面扉前面側の構成を省略している。
【００２２】
前面扉１４は、本体枠１３に回動可能に支持されており、正面視で左側を回動基端側とし右側を回動先端側として前方へ回動可能とされている。具体的には、図１に示すように、前面扉１４の回動基端側の上部には突起軸６１が設けられ、下端部には軸孔が形成された被支持部材６２が設けられている。また、図１及び図２に示すように、本体枠１３の回動基端側の上部には軸孔が形成された支持部材６３が設けられ、下端部には突起軸が設けられた支持部材６４が設けられている。前面扉１４の突起軸６１が本体枠１３の支持部材６３に設けられた軸孔に挿入され、前面扉１４の被支持部材６２に設けられた軸孔に本体枠１３の支持部材６４に設けられた突起軸が挿入されることにより、本体枠１３に対して前面扉１４が回動可能に支持されている。
【００２３】
また、前面扉１４の背面における回動先端側には、鋼材よりなる先端側補強部材１０７Ｌが上下に延ばして固定されており、回動基端側には、鋼材よりなる基端側補強部材１０７Ｒが上下に延ばして固定されている。先端側補強部材１０７Ｌ及び基端側補強部材Ｒ（以下、適宜、補強部材１０７Ｌ，Ｒと表現する）はそれぞれの固定部１０８を前面扉１４に固定されることにより、前面扉１４に固定されている。前面扉１４の背面における両側部に補強部材１０７Ｌ，Ｒを固定することにより、前面扉１４にかかる種々の荷重に対する耐久性の向上が図られている。
【００２４】
先端側補強部材１０７Ｌの固定部１０８には後方に延びる前面扉側鉤金具６５が上下に並設されている。一方、本体枠１３の回動先端側には、図２に示すように、当該前面扉側鉤金具６５と係合させるための本体枠側鉤金具６６がそれぞれ設けられており、前面扉側鉤金具６５と本体枠側鉤金具６６とが係合されることによって、前面扉１４が本体枠１３に対して開放不能に施錠される。前面扉１４が本体枠１３に対して施錠されている状態で、前面扉１４を無理やり前方へ解放しようとする力がはたらいた場合、前面扉側鉤金具６５は先端側補強部材１０７Ｌの固定部１０８に固定されているので、前面扉１４に直接固定される場合と比較して、前面扉側鉤金具６５が前面扉１４側から外れてしまう不都合が生じる可能性を低減させることができる。
【００２５】
本体枠１３の右下隅部には、施錠装置の解錠操作を行うためのシリンダ錠６７が設置されている。シリンダ錠６７は施錠装置に一体化されており、シリンダ錠６７の鍵穴に差し込んだキーを右に回すと、前面扉側鉤金具６５と本体枠側鉤金具６６とが非係合状態となり、本体枠１３に対する前面扉１４の施錠が解かれるようになっている。
【００２６】
前面扉１４は本体枠１３の前面側全体を覆うようにして設けられている。前面扉１４には遊技領域ＰＥのほぼ全域を前方から視認することができるようにした開口部２１が形成されている。開口部２１は、略楕円形状をなし、透明性を有する前側板ガラス１０１及び後側板ガラス１０２（以下、適宜、板ガラス１０１，１０２と表現する）が前後に並べて嵌め込まれている。開口部２１の周囲には、各種ランプ等の発光手段が設けられており、例えば、開口部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の上部には所定のエラー時に点灯するエラー表示ランプ部２４が設けられ、さらにその左右側方には遊技状態に応じた効果音などが出力されるスピーカー部２５が設けられている。
【００２７】
前面扉１４の前面における開口部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、払出装置より払い出された遊技球を一旦貯留し、一列に整列させながら遊技球発射機構９０側へ導くための機能を有する。また、下皿３４は、上皿３３内にて余剰となった遊技球を貯留する機能を有する。
【００２８】
前面扉１４の背面下部には、図２及び図３に示すように、通路形成ユニット５０が取り付けられている。通路形成ユニット５０は、合成樹脂により成形されており、上皿３３に通じる前扉側上皿通路と、下皿３４に通じる前扉側下皿通路とが形成されている。通路形成ユニット５０において、その上側隅部には後方に突出し上方に開放された受口部５３が形成されており、当該受口部５３を仕切壁５４によって左右に仕切ることで前扉側上皿通路の入口部分５１と前扉側下皿通路の入口部分５２とが形成されている。前扉側上皿通路の入口部分５１に入った遊技球は上皿３３に導かれ、前扉側下皿通路の入口部分５２に入った遊技球は下皿３４に導かれる。また、通路形成ユニット５０には上方に開口したファール球通路５５が配設されている。本体枠１３の発射レール９２と遊技盤８１に取り付けられた内，外レール部９５，９６との間には所定間隔の隙間があり、この隙間から下方に落下する遊技球（いわゆるファール球）はファール球通路５５内に入る。ファール球通路５５は前扉側下皿通路に通じており、ファール球通路５５に入った遊技球は下皿３４に排出される。
【００２９】
前面扉１４の背面における、遊技盤８１の内，外レール部９５，９６に対応する位置には、前面扉１４の背面の凹凸部を覆うようにして発射球規制部材２００が設けられている。発射球規制部材２００は、内，外レール部９５，９６の隙間を覆う形状を有する蓋部２０１と、蓋部２０１から後方に延ばして設けられた立設部２０２，２０３を備える。前面扉１４が本体枠１３に対して閉められた状態で、蓋部２０１は内，外レール部９５，９６の隙間を覆った状態となり、立設部２０２，２０３は内，外レール部９５，９６の外側に位置した状態となる。立設部２０２，２０３は、蓋部２０１と内，外レール部９５，９６との隙間を覆う機能と、蓋部２０１を補強する機能と、を有する。発射球規制部材２００を有することにより、遊技球発射機構９０から発射された遊技球は後側板ガラス１０２に衝突するのを抑制されながら、かつ、前面扉１４の背面の凹凸部に動作を制限されることなく、遊技領域ＰＥに打ち出される。
【００３０】
図４に示すように、前面扉１４の背面における開口部２１の周縁には、当該周縁に沿って後方に突出したリブ部１０４が形成されている。リブ部１０４は周縁にわたって面一の突出面を有し、前側板ガラス１０１の前面との間に隙間が出来ないように、かつ開口部２１の周縁を補強するように構成されている。リブ部１０４の周辺には、突条部１０５がリブ部１０４を囲むようにして後方に突出して形成されている。突条部１０５は四辺からなり、各辺の中程とリブ部１０４の一部は連通している。また、突条部１０５の上辺における左右の位置には、スピーカー収容部１０６が円形状に後方に突出して形成されている。スピーカー収容部１０６の前面側にはスピーカーの後端（図示せず）が収容される空間が形成されている。
【００３１】
リブ部１０４、突条部１０５及びスピーカー収容部１０６の後端部は、前側板ガラス１０１の前面を安定して当接させるために、同一平面上に位置するように形成されている。
【００３２】
前述のように、前面扉１４の背面における両側には、前面扉１４の左右の辺に沿って上下に延びた補強部材１０７Ｌ，Ｒが固定されている。補強部材１０７Ｌ，Ｒは、それぞれ折曲加工された鋼材からなり、前面扉１４に固定された固定部１０８と、固定部１０８の開口部２１側端部から後方に折曲されて延びる後延部１０９と、後延部１０９の後端から開口部２１側に折曲されて延びる対向部１１０と、を有している。両側の補強部材１０７Ｌ，Ｒの後延部１０９同士は対向している。また、補強部材１０７Ｌ，Ｒの対向部１１０は、それぞれ自己に対応する前面扉１４の突条部１０５の左右辺部に対向しており、この対向した突条部１０５と対向部１１０との間に、板ガラス１０１，１０２の縁部が挿入されている。前側板ガラス１０１及び後側板ガラス１０２の縁部間には、一端側が後延部１０９の上下に固定された上側押さえ部材１２０、下側押さえ部材１２１（以下、適宜、押さえ部材１２０，１２１と表現する）が挟まれている。押さえ部材１２０，１２１により、前側板ガラス１０１は突条部１０５側に押圧され、後側板ガラス１０２は対向部１１０側に押圧されている。なお、押さえ部材１２０，１２１の詳細については後述する。
【００３３】
また、後延部１０９には、切り込みを入れて開口部２１側に張り出させた規制部１１１が上下に複数並設されている。規制部１１１は、板ガラス１０１，１０２の側部の間に位置しており、板ガラス１０１，１０２の側部が上方から挿入される際に、板ガラス１０１，１０２が前後方向にブレるのを規制している。
【００３４】
前面扉１４の背面における開口部２１の下方には、左右に延びた鋼材よりなる下側支持枠１１２が固定されており、下側支持枠１１２の両端は、補強部材１０７Ｌ，Ｒの下端部付近にそれぞれ位置している。図４及び図６に示すように、下側支持枠１１２は左右方向にわたって後方に突出して形成されており、その後部には後側板ガラス１０２の下部の縁部が挿入された溝部が形成されている。また、下側支持枠１１２と突条部１０５の下辺部との間に前側板ガラス１０１の下部の縁部が挿入された溝部が形成されている。
【００３５】
前面扉１４の背面における開口部２１の上方には、前面扉１４の上縁部に沿って左右に延びる上側補強枠１１３が固定されている。上側補強枠１１３は上下部が前方に曲折された鋼材からなる。上側補強枠１１３、下側支持枠１１２、補強部材１０７Ｌ，Ｒが開口部２１を囲むようして、前面扉１４の背面に固定したことにより、前面扉１４の強度向上に貢献している。
【００３６】
板ガラス１０１，１０２の上端部には、当該上端部およびこれらの間隙を覆うようにして、カバー部材１４０が設置されている。図７は図３におけるＣ部拡大図である。図７に示すように、カバー部材１４０は、カバー部材１４０のＵ字状係合部１４１の上向き係合片１４２を上側押さえ部材１２０の下向き係合片１２２に係合させることにより設置される。カバー部材１４０を設置することにより、板ガラス１０１，１０２間の隙間を塞ぐとともに、板ガラス１０１，１０２が上方にずり上がるのを抑制している。なお、カバー部材１４０の詳細については後述する。
【００３７】
（押さえ部材の説明）
次に、上側押さえ部材１２０について詳細に説明する。なお、以下の説明では図６乃至図９を参照する。図８（ａ）は上側押さえ部材の背面図、図８（ｂ）は図８（ａ）におけるＤ−Ｄ線分部断面図、図９は上側押さえ部材の組み付け斜視図である。
【００３８】
上側押さえ部材１２０は、弾性を有する合成樹脂製であり直方体状に形成されている。上側押さえ部材１２０の一側面には、突部１２６が上下に並べて形成されており、突部１２６は補強部材１０７Ｌ，Ｒの後延部１０９の突部用孔１１４に挿入されている。また、上側押さえ部材１２０の突部１２６が形成された側面には、ネジ孔１２３が上下に２つずつ並べて形成されており、ネジ孔１２３はネジ挿入筒１２４に連通している。
【００３９】
突部用孔１１４に突部１２６を挿入した状態で、後延部１０９のネジ孔１１５を介してネジ挿入筒１２４に（横方向に）ネジ１１９を螺合することにより、上側押さえ部材１２０は後延部１０９に固定されている。これにより、上側押さえ部材１２０は、図７に示すように、ネジ１１９で固定された部分（上側のネジ挿入筒１２４）を含む一部が補強部材１０７Ｌ，Ｒの対向部１１０の上端より上方に突き出した状態に固定されている。
【００４０】
なお、上側押さえ部材１２０にはネジ孔１２３及びネジ挿入筒１２４が４つずつ形成されているが、締結させるネジ孔１２３及びその数は、必要とされる締結度合によって適宜選択可能である。
【００４１】
上側押さえ部材１２０の中程には、前後に張り出した押圧部１２５，１２５がそれぞれ形成されている。具体的には、前後の押圧部１２５、１２５は、上側押さえ部材１２０の上下方向の中程の位置で、かつ上下のネジ挿入筒１２４に挟まれた位置に形成されている。押圧部１２５，１２５は、前後にそれぞれ張り出したアーチ状に形成され、下方にいくほど各々対向した突条部１０５側または対向部１１０側へ突出する滑らかな曲面部を有する。また、押圧部１２５，１２５は、上端側が上側押さえ部材１２０に固定された固定端であり、下端側は自由端である。
【００４２】
図６に示すように、押圧部１２５，１２５は、板ガラス１０１，１０２の表面に押されることにより弾性変形し、その復元力によって、板ガラス１０１，１０２をそれぞれ突条部１０５および対向部１１０に押し付けている。
【００４３】
また、上側押さえ部材１２０の自由端側の側面上部には、下向き係合片１２２が形成されている。図７に示すように、この下向き係合片１２２は、係合面がほぼ下向きに形成されており、カバー部材１４０の上向き係合片１４２と係合されている。
【００４４】
上側押さえ部材１２０の上面には挿入ピン１２７が突出して設けられており、この挿入ピン１２７は、カバー部材１４０の挿入孔１４３に挿入されている。
【００４５】
なお、下側押さえ部材１２１は、下端部が前後方向に大きく形成されていること（図６参照）、下向き係合片１２２及び挿入ピン１２７を備えていないこと、を除いては上側押さえ部材１２０と同様の構成なので、その説明を省略する。
【００４６】
（カバー部材の説明）
次に、カバー部材１４０について詳細に説明する。なお、以下の説明では図３、図６、図７、図１０（ａ）（ｂ）を参照する。図１０（ａ）はカバー部材の正面図、図１０（ｂ）はカバー部材の斜視図である。
【００４７】
カバー部材１４０は、合成樹脂製で左右方向に延びた形状に形成されている。
【００４８】
カバー部材１４０は、板ガラス１０１，１０２の上辺よりわずかに長く左右方向に延ばして形成されたカバー部１４４を有する。カバー部１４４の下面が、板ガラス１０１，１０２の上端と、それらの間隙を覆っている。
【００４９】
カバー部１４４の下面には、左右に延びた間隙挿入部１４６が下方に突出して形成されており、間隙挿入部１４６には嵌め込み部１４７が左右方向に並べて複数形成されている。嵌め込み部１４７は前後に張り出した形状である。間隙挿入部１４６が板ガラス１０１，１０２間に挿入された状態で、嵌め込み部１４７は、板ガラス１０１，１０２に前後から挟まれて押圧されている。これにより、嵌め込み部１４７の上方への移動が抑制されており、カバー部材１４０の抜けが防止される。
【００５０】
また、間隙挿入部１４６の両端の下面にはＵ字状係合部１４１が固定されている。Ｕ字状係合部１４１は、間隙挿入部１４６の下面から下方に延びて外側に曲折し、上方に反り返るＵ字状に形成されている。Ｕ字状係合部１４１の一端は、間隙挿入部１４６の下面に固定された固定端であり、他端は自由端である。カバー部１４４の両側には上下方向に貫通して開口された緩挿孔１４５が形成されており、Ｕ字状係合部１４１の自由端側は緩挿孔１４５に挿入されてカバー部１４４上方に突き出している。緩挿孔１４５はＵ字状係合部１４１の自由端側が上側押さえ部材１２０から離間する方向に移動可能なように大きく開口されている。
【００５１】
Ｕ字状係合部１４１の自由端側（上側押さえ部材１２０側）には上向き係合片１４２が形成されている。この上向き係合片１４２は、上向きの係合面を有しており、上側押さえ部材１２０の下向き係合片１２２に係合されている。
【００５２】
また、カバー部１４４の両側には上下に貫通した挿入孔１４３が開口されている。挿入孔１４３には上側押さえ部材１２０の挿入ピン１２７が挿入されている。
【００５３】
（設置作業）
次に、各部材の組立作業について、押さえ部材１２０，１２１の取り付け、前側板ガラス１０１の設置、後側板ガラス１０２の設置、カバー部材１４０の取り付けの順に説明する。
【００５４】
（押さえ部材１２０，１２１の取り付け）
まず、上側押さえ部材１２０の取り付け作業について説明する。なお、以下の説明では図５乃至図９を参照する。
【００５５】
上側押さえ部材１２０は、図９に示すように、補強部材１０７Ｌ，Ｒ（基端側補強部材１０７Ｒについては図示省略）の後延部１０９のネジ孔１１５を通されたネジ１１９を、上側押さえ部材１２０のネジ孔１２３に挿入してネジ挿入筒１２４に螺合させることにより、補強部材１０７Ｌ，Ｒの後延部１０９に固定される。
【００５６】
この場合、図７に示すように上側押さえ部材１２０は、補強部材１０７Ｌ，Ｒ（基端側補強部材１０７Ｒについては図示省略）の対向部１１０の上端より上方に突き出した位置に固定される。
【００５７】
上側押さえ部材１２０を取り付けると、上側押さえ部材１２０の前側の押圧部１２５と前面扉１４背面の突条部１０５との間に前側板ガラス１０１が挿入される空間が形成される。また、上側押さえ部材１２０の後側の押圧部１２５と補強部材１０７Ｌ，Ｒの対向部１１０との間に後側板ガラス１０２が挿入される空間が形成される。
【００５８】
なお、下側押さえ部材１２１の取り付け作業は上側押さえ部材１２０と同様なので省略する。
【００５９】
（前側板ガラス１０１の設置）
次いで、前側板ガラス１０１の設置作業について説明する。なお、以下の説明では、図４及び図１１（ａ）を参照する。
【００６０】
図１１（ａ）は前側板ガラスが挿入される際の上側押さえ部材の動作を示す側面模式図である。
【００６１】
前側板ガラス１０１を設置するにあたって、まず、前側板ガラス１０１の両側縁部の下部を、両側の補強部材１０７Ｌ，Ｒの上方から挿入する。
【００６２】
この際、前側板ガラス１０１は前側に配置されるので、両側縁部が前面扉１４背面に形成された突条部１０５と押さえ部材１２０，１２１の前側の押圧部１２５との間を通るように挿入する。
【００６３】
前側板ガラス１０１の先端部が上側押さえ部材１２０の前方側の押圧部１２５に接触後、さらに前側板ガラス１０１を挿入させると、押圧部１２５は、前側板ガラス１０１の後面によって後方へ押されて弾性変形をする。具体的には、図１１（ａ）の矢印Ｅで示すように、押圧部１２５の固定端を基端として自由端側が後方へ移動する。これにより、前面扉１４背面の突条部１０５と前側の押圧部１２５との間隙が広がり円滑に挿入される。さらに、前側板ガラス１０１は、下端部が下側支持枠１１２の前側の溝部に支持されるまで挿入される。この際、前側板ガラス１０１の挿入先端側（下方側）は規制部１１１によって後方へ移動するのを規制されながら、前側板ガラス１０１は挿入される。また、下側押さえ部材１２１の押圧部１２５は、上側押さえ部材１２０の押圧部１２５と同様に前側板ガラス１０１に作用する。
【００６４】
下端部が下側支持枠１１２に支持された状態で、前側板ガラス１０１の縁部は、押さえ部材１２０，１２１の押圧部１２５の復元力（図１１（ａ）の矢印Ｅと反対方向の力）により前方に押され前面扉１４背面の突条部１０５に押し付けられる。また、前側板ガラス１０１の下部側は、前後方向に大きく形成された下側押さえ部材１２１の下部によっても前方に押され、突条部１０５に押し付けられる。
【００６５】
（後側板ガラス１０２の設置）
次いで、後側板ガラス１０２の設置作業について説明する。以下の説明では、図４および図１１（ｂ）を参照する。図１１（ｂ）は後側板ガラスが挿入される際の上側押さえ部材の動作を示す側面模式図である。
【００６６】
後側板ガラス１０２を設置するにあたって、まず、後側板ガラス１０２の両側縁部の下部を、補強部材１０７Ｌ，Ｒの上方から上側押さえ部材１２０の上部（対向部１１０より上方に位置する部分）に沿わせながら挿入する。
【００６７】
この際、後側板ガラス１０２の両側縁部が上側押さえ部材１２０の後方側の押圧部１２５と補強部材１０７Ｌ，Ｒの対向部１１０との間を通るように挿入する。後側板ガラス１０２の先端部が上側押さえ部材１２０の後方側の押圧部１２５に接触後、さらに後側板ガラス１０２を挿入させると、押圧部１２５は、後側板ガラス１０２の前面によって前方へ押されて弾性変形をする。具体的には、図１１（ｂ）の矢印Ｆで示すように、押圧部１２５の固定端を基端として自由端側が前方へ移動する。これにより、補強部材１０７Ｌ，Ｒの対向部１１０と後側の押圧部１２５との間隙が広がり、後側板ガラス１０２は円滑に挿入される。さらに、後側板ガラス１０２は、下端部が下側支持枠１１２と突条部１０５との間に形成された溝部に支持されるまで挿入される。この際、後側板ガラス１０２の挿入先端側（下方側）が規制部１１１によって前方へ移動するのを規制されながら、後側板ガラス１０２は挿入される。また、下側押さえ部材１２１の押圧部１２５は、上側押さえ部材１２０の押圧部１２５と同様に、後側板ガラス１０２に作用する。
【００６８】
下端部が下側支持枠１１２に支持された状態で、後側板ガラス１０２の縁部は、押さえ部材１２０，１２１の押圧部１２５の復元力（図１１（ｂ）の矢印Ｆと反対方向の力）により後方に押され補強部材１０７Ｌ，Ｒの対向部１１０に押し付けられる。また、後側板ガラス１０２の下部側は、前後方向に大きく形成された下側押さえ部材１２１の下部によっても後方に押され、対向部１１０に押し付けられる。
【００６９】
（カバー部材１４０の取り付け）
次いで、カバー部材１４０の取り付け作業について説明する。以下の説明では、図４、図７、図１０（ａ）（ｂ）を参照する。
【００７０】
板ガラス１０１，１０２の設置後、それらの上端および間隙を覆うようにカバー部材１４０を設置する。
【００７１】
詳しくは、まず、前側板ガラス１０１と後側板ガラス１０２との間の空間に、上方から嵌め込み部１４７が形成された間隙挿入部１４６及び両側のＵ字状係合部１４１，１４１を挿入する。この際、カバー部１４４の挿入孔１４３に上側押さえ部材１２０の挿入ピン１２７を挿入させながら、かつカバー部１４４の下面で、前側板ガラス１０１の上端、後側板ガラス１０２の上端およびそれらの間隙を覆うようにしてカバー部１４４を下ろしていく。この際、嵌め込み部１４７は板ガラス１０１，１０２間に挟みこまれるようにして挿入される。嵌め込み部１４７は弾性変形可能に前後に張り出して形成されているので、板ガラス１０１，１０２はそれぞれ前後に押圧される。
【００７２】
また、カバー部１４４を下ろしていく過程において、両側のＵ字状係合部１４１の上向き係合片１４２が、上側押さえ部材１２０の下向き係合片１２２に押圧されることにより、Ｕ字状係合部１４１は間隙挿入部１４６側へ撓む。カバー部１４４の下面が、板ガラス１０１，１０２の上面に当接する程度まで、カバー部材１４０が下げられると、Ｕ字状係合部１４１の上向き係合片１４２は、上側押さえ部材１２０の下向き係合片１２２の押圧から解放される。Ｕ字状係合部１４１は、上側押さえ部材１２０の下向き係合片１２２の押圧から解放されると、自己の復元力により元の位置に復帰し、上向き係合片１４２が、上側押さえ部材１２０の下向き係合片１２２の下方に滑り込む。これにより、Ｕ字状係合部１４１の上向き係合片１４２が上側押さえ部材１２０の下向き係合片１２２に係合され、これらの係合面同士が向かい合って当接した状態（図７に示す状態）となる。
【００７３】
以上詳述した本実施の形態によれば、以下の優れた効果を奏する。
【００７４】
押さえ部材１２０，１２１は前側の押圧部１２５を、前面扉１４の背面に形成された突条部１０５に対向させて設けられている。よって、押さえ部材１２０，１２１の押圧部１２５により前方へ押圧された前側板ガラス１０１の側縁部は、突条部１０５に押し付けられ、押さえ部材１２０，１２１の押圧部１２５と突条部１０５との間に挟まれて保持される。
【００７５】
また、押さえ部材１２０，１２１は後側の押圧部１２５を補強部材１０７Ｌ，Ｒの対向部１１０に対向させて設けられている。よって、押さえ部材１２０，１２１の押圧部１２５により後方へ押圧された後側板ガラス１０２の側縁部は、補強部材１０７Ｌ，Ｒの対向部１１０に押し付けられ、押さえ部材１２０，１２１の押圧部１２５と対向部１１０との間に挟まれて保持される。
【００７６】
また、下側押さえ部材１２１の下端部は前後に張り出して形成されているので、板ガラス１０１，１０２の側縁部の下端部は、それぞれ前後に押圧される。
【００７７】
また、前側板ガラス１０１と後側板ガラス１０２の間に上側押さえ部材１２０が存在するので、前側板ガラス１０１と後側板ガラス１０２は一定の間隔を保ったまま保持される。
【００７８】
また、押さえ部材１２０，１２１は、前面扉１４背面の突条部１０５に対向する前側の押圧部１２５、及び補強部材１０７Ｌ，Ｒの対向部１１０に対向する後側の押圧部１２５の両方を有しているので、ひとつの押さえ部材１２０，１２１で前側板ガラス１０１および後側板ガラス１０２を押圧することが可能である。
【００７９】
よって、板ガラス１０１，１０２は確実に、かつ効率的に前面扉１４に設置され、板ガラス１０１，１０２のガタつき等を抑えることができる。
【００８０】
前側板ガラス１０１を挿入する際に主な障害となるものは、前面扉１４背面の突条部１０５および押さえ部材１２０，１２１だけであり、後側板ガラス１０２を挿入する際に主な障害となるものは補強部材１０７Ｌ，Ｒの対向部１１０と押さえ部材１２０，１２１だけである。押さえ部材１２０，１２１が設けられた状態で前側板ガラス１０１を挿入させると、押圧部１２５は前側板ガラス１０１に押され、後方へ弾性変形する。これにより、押圧部１２５と突条部１０５との間隔が広がる。また、押さえ部材１２０，１２１が設けられた状態で後側板ガラス１０２を挿入させると、押圧部１２５は後側板ガラス１０２に押され、前方へ弾性変形する。これにより、押圧部１２５と対向部１１０との間隔が広がる。
【００８１】
よって、従来考えられているような、幅が板ガラスの厚さとほぼ同一に形成されている溝部に透明板を挿入する際に両内側壁が障害となる場合と比較して、板ガラス１０１，１０２の挿入通路の幅を広げることができるので、容易に挿入作業を行うことができる。
【００８２】
また、例えば、パチンコ機１０は、板ガラスの破損防止のために板ガラスが外された状態で遊技場等に搬送される場合もある。この場合は、押さえ部材１２０，１２１は取り付けた状態で搬送することもでき、遊技場等において押さえ部材１２０，１２１の取り付け作業を行う必要がなく、円滑に板ガラス１０１，１０２を取り付けることができる。
【００８３】
突条部１０５は、開口部２１にかからない程度に前面扉１４の背面の広い部分に形成することも可能である。よって、前側板ガラス１０１の縁部の広い面積を、突条部１０５の面積に対応させた大型の押さえ部材の押圧部で押さえつけることも可能であり、前面扉１４に前側板ガラス１０１を確実に保持させることができる。
【００８４】
上側押さえ部材１２０より、下側押さえ部材１２１の方が、前後方向に厚く形成されているので、板ガラス１０１，１０２を挿入する際に、挿入開始時の板ガラス１０１，１０２がまだ不安定な状態では上側押さえ部材１２０により比較的小さい押圧力で押圧され、挿入していくと下側押さえ部材１２１により比較的大きい力で押圧される。よって、挿入時は板ガラス１０１，１０２を挿入しやすく、かつ、挿入後は板ガラス１０１，１０２を安定させて設置することができる。
【００８５】
前面扉１４の背面に形成された突条部１０５を、前側板ガラス１０１の前面を押し付ける部位として利用している。よって、別部材の用意等をする必要がなく生産性に優れる。
【００８６】
補強部材１０７Ｌ，Ｒ、上側補強枠１１３、下側支持枠１１２が協働して、開口部２１を囲繞するように前面扉１４の背面に固定されているので、前面扉１４の曲げ等に対する強度を向上させ、前面扉１４の変形や破損を防止することができる。
【００８７】
前面扉１４背面の開口部２１の周縁にはリブ部１０４が形成されているので、開口部２１の周囲のひびや欠け等の破損を防止することができる。
【００８８】
前面扉１４の背面に形成されたリブ部１０４，突条部１０５，スピーカー収容部１０６の後端は同一平面上に位置するように形成されている。よって、前側板ガラス１０１の前面は、開口部２１の周囲に対応する箇所がリブ部１０４に当接し、縁部が突条部１０５，スピーカー収容部１０６に当接する。よって、リブ部１０４やスピーカー収容部１０６を設けた遊技機においても、開口部２１の周縁と前側板ガラス１０１前面との間に隙間ができることを防止することができる。よって、当該隙間から器具等を挿入されて不正行為が行われる等の不都合を解消することができる。
【００８９】
突条部１０５とスピーカー収容部１０６の後端は同一平面上に位置するように形成され、かつスピーカー収容部１０６の上部側は上側押さえ部材１２０より上方に形成されている。前側板ガラス１０１を挿入する際は、スピーカー収容部１０６に前側板ガラス１０１の前面を沿わせるように挿入することにより、前側板ガラス１０１は突条部１０５と上側押さえ部材１２０との間に案内され、前側板ガラス１０１を円滑に挿入することができる。すなわち、前側当接部と同一平面上に位置する部分（案内部分）が、前側押圧部（または押さえ部材）の前側透明板が挿入される側の端部より、前側透明板が挿入される側に突き出した位置に設けられている。これにより、前側透明板は当該案内部分に案内されて前側当接部と前側押圧部との間に挿入され、前側透明板を円滑に挿入させることができる。
【００９０】
上側押さえ部材１２０は、補強部材１０７Ｌ，Ｒの対向部１１０の上端部より、上方に突き出した位置に設けられている。後側板ガラス１０２を上方から挿入する際に、後側板ガラス１０２の左右の下端部を、上方に突き出した上側押さえ部材１２０の上部に沿わせながら挿入させる。後側板ガラス１０２を押し下げていくと、後側板ガラス１０２の縁部の下端部が上側押さえ部材１２０と対向部１１０との間に案内される。よって、後側板ガラス１０２の左右の縁部は上側押さえ部材１２０に案内され、円滑に上側押さえ部材１２０と対向部１１０との間に挿入される。
【００９１】
よって、上側押さえ部材１２０に、板ガラス１０１，１０２を保持するための押圧機能を持たせながらも、上記のように後側板ガラス１０２の案内機能を併せて持たせることができる。
【００９２】
前側板ガラス１０１が挿入される際は、規制部１１１によって挿入先端側（下部側）が後方へ移動することが規制され、後側板ガラス１０２が挿入される際は、規制部１１１によって挿入先端側（下部側）が前方へ移動することが規制される。
【００９３】
よって、板ガラス１０１，１０２は予定された正規の挿入方向に円滑に挿入される。
【００９４】
押さえ部材１２０，１２１は、側方から補強部材１０７Ｌ，Ｒの後延部１０９を介してネジ１１９が挿入されることにより一端が後延部１０９に固定されており、他端は自由端に形成されている。また、板ガラス１０１，１０２はネジ１１９の挿入方向とほぼ垂直である上方から挿入される。
【００９５】
板ガラス１０１，１０２が挿入される際に、押さえ部材１２０，１２１は、これらの板ガラス１０１、１０２に押されることにより下方向および前後方向への力を受ける。一般的に、ネジ１１９は、引き抜かれる方向（本実施例においては側方）の力に対しては、他の方向の力と比較して大きな締結力を発揮できない場合がある。しかし、本実施例における押さえ部材１２０，１２１は、板ガラス１０１，１０２の挿入方向（下方向）および前後方向に対して垂直方向（左右方向）に挿入されているネジ１１９によって、後延部１０９に固定されており、ネジ１１９を引き抜く方向（左右方向）には大きな力がかかりにくい。よって、ネジ１１９が引き抜かれて、押さえ部材１２０，１２１が後延部１０９から外れる等の不都合が生じる可能性を低減させることができる。
【００９６】
押さえ部材１２０，１２１は、押圧部１２５を挟んだ上部および下部がネジ１１９により、後延部１０９に固定されている。よって、ネジ１１９が押圧部１２５の変形の妨げにならないので、板ガラス１０１，１０２から力を受けた際に、押圧部１２５は好適に弾性変形することができる。また、押さえ部材１２０，１２１は、偏った位置ではなく上側および下側を（上下方向において重心からほぼ均等な位置を）ネジ１１９に固定されているので、押さえ部材１２０，１２１自体が大きく歪むことを低減でき、押さえ部材１２０，１２１の破損や外れ等の不都合が生じる可能性を低減させることができる。
【００９７】
上側押さえ部材１２０の対向部１１０から上方に突き出した部分がネジ１１９により固定されている。すなわち後側板ガラス１０２を挿入させる際に後側板ガラス１０２を沿わせる当該部分がネジ１１９により固定されているので、後側板ガラス１０２は安定して上側押さえ部材１２０に案内され、さらに円滑な挿入作業に貢献できる。
【００９８】
板ガラス１０１，１０２を挿入する際の挿入先端側が当接する押圧部１２５の曲面部が、突条部１０５または対向部１１０側へ突出する滑らかな曲面部を有しているので、板ガラス１０１，１０２は挿入先端側が押圧部１２５に当接してから、挿入されるにともない、それぞれ突条部１０５側及び対向部１１０側に近づけられるようにして、円滑に挿入される。
【００９９】
押圧部１２５は、上端が押さえ部材１２０，１２１に固定された固定端であり、下端が自由端である。これにより、押圧部１２５は変形し易くなり、板ガラス１０１，１０２を挿入する際に、板ガラス１０１，１０２に押圧部１２５が押され、押圧部１２５の下端側（自由端）が固定端側を基端にして、挿入された板ガラス１０１，１０２と反対側に移動する。
【０１００】
よって、板ガラス１０１，１０２の挿入通路を広く確保することができ、板ガラス１０１，１０２の挿入を円滑にさせることができる。
【０１０１】
また、押さえ部材１２０，１２１の押圧部１２５は、板ガラス１０１，１０２の挿入方向の上流側（上端）が固定端であり、下端側（下端）が自由端である。よって、板ガラス１０１，１０２が挿入される際は、固定端側から挿入されるので押圧部１２５が固定端側を基端として自由端側が挿入された板ガラスと反対側に円滑に移動する。よって、板ガラス１０１，１０２を挿入する際に押圧部１２５にかかる無用な力（押圧部１２５を縦方向に押しつぶす力等）を低減させることができ、板ガラス１０１，１０２の挿入を円滑に行うことができる。
【０１０２】
カバー部材１４０は、Ｕ字状係合部１４１の上方を向いた面を有する上向き係合片１４２と、上側押さえ部材１２０の下方を向いた係合面を有する下向き係合片１２２を係合させることにより、板ガラス１０１，１０２の上端面に設置される。すなわち、カバー部材１４０を脱着する上下方向に対してほぼ垂直な係合面を有する係合片１２２，１４２同士が係合している。板ガラス１０１，１０２の上端部によってカバー部１４４が上方に押される等してカバー部材１４０を外す方向の力がかかると、上向き係合片１４２および下向き係合片１２２の係合面同士が、係合面に対して押し合うことになる（Ｕ字状係合部１４１の上向き係合片１４２と上側押さえ部材１２０の下向き係合片１２２とは、互いに引っ張り合うことになる）。よって、係合片１２２，１４２同士の係合が解かれる可能性を低減させることができるので、カバー部材１４０が外れるのを防止でき、ひいては前側板ガラス１０１や後側板ガラス１０２が上方にずり上がることを防止することができる。
【０１０３】
また、前側板ガラス１０１および後側板ガラス１０２の間にできた隙間を覆うことができるので、その隙間から埃が入ったり悪戯により異物が投入されたりすること等を防止することができる。
【０１０４】
Ｕ字状係合部１４１は、Ｕ字状の撓みやすい形状に形成されており、かつその自由端側に上向き係合片１４２が形成されている。よって、上向き係合片１４２の移動範囲が広がり、上側押さえ部材１２０の下向き係合片１２２に円滑に係合させることができる。
【０１０５】
また、Ｕ字状係合部１４１自体が撓みやすい形状に形成されているので、Ｕ字状係合部１４１と間隙挿入部１４６との間に生じる剪断力や曲げモーメント等を抑制することができ、Ｕ字状係合部１４１と間隙挿入部１４６の境目が破断等する可能性を減じることができる。
【０１０６】
上側押さえ部材１２０に下向き係合片１２２が形成されているので、上側押さえ部材１２０自体の位置を調整することにより、Ｕ字状係合部１４１の上向き係合片１４２との係合の程度の強弱を調整することができる。
【０１０７】
Ｕ字状係合部１４１は、上側押さえ部材１２０を介して補強部材１０７Ｌ，Ｒの後延部１０９と対向した位置にある。Ｕ字状係合部１４１は、自己の弾性変形からの復元力により上側押さえ部材１２０側へ付勢されており、上側押さえ部材１２０を後延部１０９側に押し付けている。これにより、上側押さえ部材１２０が、補強部材１０７Ｌ，Ｒの後延部１０９から外れて離間する方向へ移動することを防止することができる。
【０１０８】
カバー部材１４０のカバー部１４４の緩挿孔１４５から突き出したＵ字状係合部１４１の先端側を、上側押さえ部材１２０と離間する方向（内側方向）に移動させる。これにより、Ｕ字状係合部１４１自体が上側押さえ部材１２０と離間する方向に撓み、Ｕ字状係合部１４１の上向き係合片１４２を、上側押さえ部材１２０に形成された下向き係合片１２２から外すことができる。係合片１２２，１４２同士が外れた状態で、カバー部材１４０を上方に上げると、カバー部材１４０が取り外せる。つまり、Ｕ字状係合部１４１の自由端側を内側に押しながら、カバー部１４４を上方に持ち上げることにより、カバー部材１４０を取り外すことができる。
【０１０９】
前面扉１４にカバー部材１４０を設置する際に、上側押さえ部材１２０の挿入ピン１２７をカバー部１４４の挿入孔１４３に挿入させながら設置することにより、カバー部１４４の設置位置が案内されるので、カバー部材１４０を容易に設置できる。
【０１１０】
発射球規制部材２００が設けられているので、内，外レール部９５，９６間に発射された遊技球が前面扉１４側の凹部に落ち込むのを防止できるとともに、前面扉１４側の遊技部品による凹凸部を覆っているので発射された遊技球が当該凹凸部に衝突して減勢されることを防止できる。
【０１１１】
また、発射球規制部材２００を設けることにより、発射された遊技球を前面扉１４側の上記凹凸部を避けて通過させる必要性がなくなるので、内，外レール部９５，９６を上記必要性に制限されることなく外側に配置することができ、遊技領域ＰＥを大きく確保することができる。
【０１１２】
なお、上述した実施の形態の記載内容に限定されず、例えば次のように実施してもよい。ちなみに、以下の別形態の構成を、上記実施の形態における構成に対して、個別に適用してもよく、相互に組み合わせて適用してもよい。
【０１１３】
（１）上記実施の形態では、押さえ部材１２０，１２１の形状を略直方体状としたが、これに限定されるものではない。例えば、球形状や卵形状に成型してもよい。この場合は実際に前側板ガラス１０１および後側板ガラス１０２に当接した部位を押圧部とみなすことも可能である。
【０１１４】
また、押圧部１２５の形状は、押さえ部材１２０，１２１からアーチ状に張り出した形状としたが、押さえ部材の表面に形成された凹凸形状や半球形状、斜め下方に傾斜させて張り出した形状等を採用することも可能である。
【０１１５】
これらの場合、前側板ガラス１０１および後側板ガラス１０２の間隔を保った状態で押圧することが可能となるように、押さえ部材１２０，１２１およびその押圧部１２５の形状（厚み等）や材質も併せて変更することが好ましい。
【０１１６】
（２）上記実施の形態では、押さえ部材１２０，１２１は、補強部材１０７Ｌ，Ｒの後延部１０９の上下に２つずつ合計４つ固定したが、固定する押さえ部材の数量は、押さえ部材や押圧部の形状や材質等に応じて適宜変更可能である。
【０１１７】
また、上記実施の形態では、上側には上側押さえ部材１２０、下側には下側押さえ部材１２１を固定したが、上側及び下側に上側押さえ部材１２０を用いて低コストでの遊技機を実現してもよい。
【０１１８】
（３）上記実施の形態では、押さえ部材１２０，１２１の上下方向の長さは、補強部材１０７Ｌ，Ｒの後延部１０９に対してかなり短い（少なくとも後延部１０９に押さえ部材１２０，１２１が２つ固定できる程度に短い）形状としたが、これを変更し、押さえ部材を補強部材１０７Ｌ，Ｒの後延部１０９とほぼ同一の長さにして、押圧部を当該押さえ部材の好適な位置に形成（例えば、上部と下部に形成、または上下方向に所定間隔で３箇所以上に形成）するようにしてもよい。但し、この場合は、押さえ部材を合成樹脂により成型するにあたって金型の大型化や原料の増加を招来することが想定できる。故に、望ましくは、上記実施の形態に示すように、押さえ部材１２０，１２１を補強部材１０７Ｌ，Ｒと比較して小型に形成する構成とした方がよい。
【０１１９】
（４）上記実施の形態では、押圧部１２５の上端側が押さえ部材１２０，１２１に固定された固定端であり、下端側が自由端である構成としたが、これを変更し、押圧部１２５の上端側が自由端であり、下流側が押さえ部材１２０，１２１に固定された固定端である構成としてもよい。但し、このような変更を行った場合は、板ガラスが自由端側から挿入されることになるので、押圧部の形状によっては、板ガラスが押圧部の自由端側を固定端側に押し込んでいくことが想定される。この場合、押圧部に無用な力（押圧部を縦方向に押しつぶす力等）がかかり、押圧部が塑性変形や破損等する不都合が生じる可能性がある。故に、好ましくは、上記実施の形態に示したように押圧部１２５の上端側を押さえ部材１２０，１２１に固定された固定端とし、下端側を自由端とする構成とするとよい。
【０１２０】
（５）上記実施の形態では、押さえ部材１２０，１２１はネジ１１９により後延部１０９に固定される構成としたが、釘やボルト等で固定する構成としてもよい。また、後延部１０９に押さえ部材１２０，１２１の一端面を接着により固定する構成としてもよい。但し、接着により固定する構成とした場合は、左右方向から棒状の締結具（ネジ、釘、ボルト等）を挿入させて締結する場合と比較して、押さえ部材１２０，１２１に特に大きくかかる上下方向および前後方向の力に対して締結力が弱いことが想定される。故に、棒状の締結具を左右方向から挿入させて締結する構成とすることが望ましい。
【０１２１】
（６）上記実施の形態では、ひとつの押さえ部材１２０，１２１によって前後の押圧部１２５、１２５が一体化された構成としたが、前側板ガラス１０１用の押さえ部材と後側板ガラス１０２用の押さえ部材とを別々に備える構成としてもよい。しかし、このような構成を採用した場合は、押さえ部材の設置工数が増加することが想定される。故に、上記実施の形態に示すようにひとつの押さえ部材に前後の押圧部１２５，１２５を有する構成とすることが望ましい。
【０１２２】
なお、上記のように押さえ部材を別々に備える場合は、前側板ガラス１０１用の押さえ部材が固定される部材と後側板ガラス１０２用の押さえ部材が固定される部材とを別々に構成してもよい。例えば、上記実施の形態で後延部１０９にあたる部材をそれぞれの押さえ部材用に別々に構成してもよい。
【０１２３】
（７）上記実施の形態では、押さえ部材１２０，１２１自体の撓みについては言及しなかったが、押圧部１２５を弾性変形させることに併せて押さえ部材１２０，１２１自体も前後に撓む（弾性変形する）ように構成することも可能である。この場合の前側板ガラス１０１および後側板ガラス１０２設置時の作用について説明する。
【０１２４】
この場合、前側板ガラス１０１を挿入する際は、前側の押圧部１２５は、前側板ガラス１０１の前面によって後方へ押され、弾性変形をする。また、押さえ部材１２０，１２１全体としても、固定端側を基端として自由端側が後方へ移動して撓み変形させられ、前方側の押圧部１２５と突条部１０５との間の空間が広がる。これにより、前側板ガラス１０１は、押圧部１２５と押さえ部材１２０，１２１の復元力により前方に押されながらも、円滑に挿入される。
【０１２５】
後側板ガラス１０２を挿入する際は、後側の押圧部１２５は、後側板ガラス１０２の後面によって前方へ押され弾性変形をする。しかし、押さえ部材１２０，１２１全体としては、既に設置されている前側板ガラス１０１に妨げられて前方へはほとんど撓むことができない。よって、前側板ガラス１０１を挿入する場合のようには挿入する空間（後方側の押圧部１２５と対向部１１０との間の空間）は広がらず、押圧部１２５を変形させることによって挿入する空間を広げる必要がある。これにより、後側板ガラス１０２は、前側板ガラス１０１を挿入する場合と比較して、押圧部１２５によって強い力で対向部１１０に押し付けられる。よって、後側板ガラス１０２を挿入していく際は、一定の力を加えながら挿入していく必要がある。後側板ガラス１０２は下端部が下側支持枠１１２に支持されるまで挿入される。
【０１２６】
後側板ガラス１０２の挿入作業においては、前側板ガラス１０１が作業の妨げになる場合があり、誤って手を放して後側板ガラス１０２を落下させる不都合も考えられる。しかし、上記のように後側板ガラス１０２は押圧部１２５により一定以上の力で対向部１１０に押し付けられながら挿入されるので、後側板ガラス１０２が無抵抗状態で落下することがなく、上記不都合が生じる可能性を低減させることができる。
【０１２７】
（８）上記実施の形態では、押さえ部材１２０，１２１は補強部材１０７Ｌ，Ｒの対向部１１０に一端が固定されている構成としたが、これに限定されるものではない。例えば、押さえ部材の一端を補強部材１０７Ｌ，Ｒの後延部１０９に前後に回動可能に支持させることも可能である。
【０１２８】
この場合、上記（７）のように押さえ部材自体が撓まなくとも、自由端側が前後に移動することが可能である。この自由端側は撓みではなく回動により移動するので、板ガラスを挿入する前は、突条部１０５と補強部材１０７Ｌ，Ｒの対向部１１０との間を大きく移動する。これに伴い、押さえ部材１２０，１２１と突条部１０５と補強部材１０７Ｌ，Ｒの対向部１１０との間隔は広がったり狭まったりする。上記間隔が狭まった状態では、前後の板ガラス１０１、１０２を円滑に挿入することができず、作業に手間取ることが想定される。故に、望ましくは、上記実施の形態に示すように後延部１０９に押さえ部材１２０，１２１の一端を固定する構成とした方がよい。
【０１２９】
（９）上記（７）または（８）のような構成とした場合は、板ガラス挿入時の押さえ部材の撓みまたは回動を一定の範囲内に収めるために、押さえ部材を介して当接部（突条部１０５または対向部１１０）と対向させた位置に撓み（または回動）を抑制する抑制部を形成してもよい。これにより、押さえ部材が板ガラスと反対側にある程度撓む（または回動）と抑制部に接触し撓み（または回動）を抑制することが可能であるので、押さえ部材の過度の撓み（または回動）による破損や作業性の悪化等を抑制することができる。
【０１３０】
（１０）上記実施の形態では、カバー部材１４０は、前側板ガラス１０１の上端部、後側板ガラス１０２上端部、およびそれらの間隙を覆う構成としたが、これに限定されるものではない。例えば、前側板ガラス１０１及び後側板ガラス１０２のいずれかの上端部のみを覆うように構成してガラス板の外れ防止を目的とする構成としてもよい。しかし、このような構成を採用した場合は、当該間隙を覆う構成を他に追加する必要が生じることが想定される。故に、上記実施の形態に示すように前側板ガラス１０１の上端部、後側板ガラス１０２上端部、およびそれらの間隙を覆う構成とすることが望ましい。
【０１３１】
ただし、上記間隙のない構成（例えば、１枚の透明板を設置する場合や複数枚のガラスがユニット化された複層ガラス等の透明板を設置する構成）の場合は、カバー部材１４０を透明板の上端部を覆うように設置し、透明板の外れを防止する構成とすることが好ましい。
【０１３２】
（１１）上記実施の形態では、カバー部材１４０のＵ字状係合部１４１の形状はＵ字状としたが、好適に弾性変形できるものであればよい。具体的には、係合部を間隙挿入部１４６又はカバー部１４４の下面から直線的にまたはゆるく曲げて垂下させて形成し、当該係合部の先端側に係合片を形成してもよい。
【０１３３】
これらの場合、係合部が上側押さえ部材１２０の下向き係合片１２２と係合する際に弾性変形可能となるように、係合部の形状（厚み等）や材質も併せて変更することが好ましい。
【０１３４】
（１２）上記実施の形態では、Ｕ字状係合部１４１は間隙挿入部１４６の下面から延びる構成としたが、カバー部１４４の下面から延びる構成としてもよい。
【０１３５】
（１３）上記実施の形態では、前側板ガラス１０１および後側板ガラス１０２の２枚を前後に並べる構成としてが、これに限られるものではない。例えば、１枚の透明板を設置する場合や複数枚のガラスがユニット化された複層ガラス等の透明板を設置する場合等にも適用可能である。これらの場合は、透明板の縁部の一方の表面を前方または後方に押圧する押圧部と、押圧部によって押圧された透明板の他方の表面が当接する当接部を備える構成としてもよい。具体的には、例えば、押さえ部材１２０，１２１の押圧部１２５を前側の１つにし、それによって押し付けられた板ガラスを受け止める対向部を備える構成としてもよい。
【０１３６】
（１４）上記実施の形態では、前面扉１４背面の突条部１０５、補強部材１０７Ｌ，Ｒの後延部１０９および対向部１１０によって、前側板ガラス１０１および後側板ガラス１０２の縁部が挿入される空間を形成したが、これを変更し、溝部を形成してその溝内を当該空間としてもよい。具体的には、例えば、内底面を開口部２１側に向けて溝鋼を左右に固定して当該空間を形成してもよい。この場合は、前側板ガラス１０１の縁部の前面は上記溝鋼の前側の内側壁に当接し、後側板ガラス１０２の縁部の後面は上記溝鋼の後側の内側壁に当接し、押さえ部材１２０，１２１は上記溝鋼の内底面に固定される。また、前面扉１４の背面に合成樹脂により一体に溝部を形成してもよい。この場合も上記溝鋼を採用した場合と同様に、前側板ガラス１０１の縁部の前面は上記溝部の前側の内側壁に当接し、後側板ガラス１０２の縁部の後面は上記溝部の後側の内側壁に当接し、押さえ部材１２０，１２１は上記溝部の内底面に固定される。
【０１３７】
（１５）上記実施の形態では、突条部１０５、補強部材１０７Ｌ，Ｒを前面扉１４背面の左右に配置して上方から前側板ガラス１０１および後側板ガラス１０２を挿入するように構成したが、これを変更し、突条部１０５、補強部材１０７Ｌ，Ｒを前面扉１４背面の上下に配置して左右のいずれか一方から前側板ガラス１０１および後側板ガラス１０２を挿入するようにしてもよい。
【０１３８】
（１６）上記実施の形態では、発射球規制部材２００は前面扉１４に固定された構成としてが、内，外レール部９５，９６に直接取り付けて内，外レール部９５，９６間を覆うように構成してもよい。この場合は、内，外レール部９５，９６の間隙のメンテナンスに手間がかかることが想定される。故に、上記実施の形態に示すように、発射球規制部材２００は前面扉１４に固定し、前面扉１４が開放された場合は内，外レール部９５，９６の間隙も開放されるように構成することが好ましい。
【０１３９】
＜上記実施の形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０１４０】
特徴１．遊技機（パチンコ機１０）前面に配置されるとともに前方へ開放可能に設けられた前面扉（前面扉１４）を備えている遊技機において、
前記前面扉は、
前記前面扉より後方に配置されている遊技部品を前記遊技機の前方から視認可能とする開口部（開口部２１）と、
前記開口部を覆うように前後に並べて配設された前側透明板（前側板ガラス１０１）および後側透明板（後側板ガラス１０２）と、
前記前側透明板の前面側が当接した前側当接部（突条部１０５）と、
前記前側当接部に対向して形成され、前記後側透明板の後面側が当接した後側当接部（対向部１１０）と、
前記前側当接部から前記前側透明板の厚さより小さい間隔をあけて、前記前側当接部に対向して設けられた弾性変形可能な前側押圧部（押圧部１２５）と、
前記後側当接部から前記後側透明板の厚さより小さい間隔をあけて、前記後側当接部に対向して設けられた弾性変形可能な後側押圧部（押圧部１２５）と、
を備え、
前記前側透明板は、前記前側押圧部と前記前側当接部との間に挿入されており、かつ、前記前側押圧部により前記前側当接部に押し付けられており、
前記後側透明板は、前記後側押圧部と前記後側当接部との間に挿入されており、かつ、前記後側押圧部により前記後側当接部に押し付けられていることを特徴とする遊技機。
【０１４１】
特徴１の遊技機では、前側押圧部が前側当接部に対向させて設けられているので、前側押圧部により前方へ押圧された前側透明板は、前側当接部に押し付けられ、前側押圧部と前側当接部との間に挟まれて保持される。また、後側押圧部は後側当接部に対向させて設けられているので、後側押圧部により後方へ押圧された後側透明板は、後側当接部に押し付けられ、後側押圧部と後側当接部との間に挟まれて保持される。また、前側透明板は前方へ押圧され、後側透明板は後方へ押圧されるので、前後の透明板は一定の間隔を保ったまま保持される。
【０１４２】
よって、前側透明板および後側透明板は一定の間隔を保った状態で確実に前面扉に設置され、透明板のガタつき等を抑えることができる。
【０１４３】
透明板の設置作業を行うにあたって主な障害となるものは、各々の透明板に対応した当接部と押圧部だけである。押圧部が設けられた状態で透明板を挿入させると、押圧部は透明板に押され、当接部と離間する方向へ弾性変形する。これにより、当接部と押圧部との間隔が広がる。よって、従来考えられているような、幅が透明板の厚さとほぼ同一に形成されている溝部に透明板を挿入する際に、両内側壁が障害となる場合と比較して、容易に透明板を挿入することができる。
【０１４４】
当接部と離間する方向へ弾性変形した押圧部は初期状態に復帰しようとするので、この押圧部により透明板は当接部に押し付けられ、透明板は確実に前面扉に設置される。
【０１４５】
また、例えば、遊技機は、透明板の破損防止のために透明板が外された状態で遊技場等に搬送される場合もある。この場合は、各押圧部を取り付けた状態で搬送することもでき、遊技場等において押圧部の取り付け作業を行う必要がなく透明板を差し込むだけで透明板が前扉に固定されるので、円滑に作業をすすめることができる。
【０１４６】
また、従来のように前側透明板用と後側透明板用の溝部を前後に並べて２条形成することが必須ではなく、前後の透明板がそれぞれ接触する当接部を形成すればよいので設計の自由度および生産性が向上する。
【０１４７】
なお、パチンコ球が後側透明板に衝突する等により、後側透明板に衝撃力が働く場合がある。この場合、後側透明板は前方側への衝撃力を受け、その衝撃力は後側押圧部に伝播される。後側押圧部は弾性変形可能であるので、衝撃力の大きさによっては弾性変形することによりその衝撃力を吸収する緩衝機能も期待することができる。この場合は、後側透明板にかかる衝撃力を減じることができ、後側透明板の耐久性の向上に貢献できる。
【０１４８】
一方、前側透明板も前方から遊技客によって叩かれる等の衝撃力を受けることがあるが、この衝撃力についても上記後側押圧部と同様の前側押圧部の作用によって減じることができ、前側透明板の耐久性の向上に貢献できる。
【０１４９】
透明板としては、板ガラスやアクリル板等が用いられる。特に、板ガラスを前後に並べて配置する場合は、遊技機への磁石等による不正行為や、パチンコ球が透明板に衝突することによる騒音等の不都合を低コストで生じにくくすることができる。
【０１５０】
押圧部の形状としては、半球状やアーチ状の当接部に向かって張り出した形状が好ましい。
【０１５１】
当接部としては、例えば、面一の面を有するものや同一突出量の突部が複数配列されたもの等が採用される。
【０１５２】
なお、透明板において当接部が当接する位置は、透明板に開口部を投影した領域の外側の位置が好ましい。開口部後方に配置されている遊技部品の視認性を向上させるためである。
【０１５３】
また、透明板において当接部が当接する位置は、透明板の両側部の位置が好ましい。前扉に透明板を安定して支持させることができるためである。
【０１５４】
特徴２．前記前面扉は、
前後方向において前記前側透明板と前記後側透明板との間の位置に設けられた押さえ部材固定部（後延部１０９）と、
前記押さえ部材固定部に固定され、前側に前記前側押圧部が形成され後側に前記後側押圧部が形成された押さえ部材（押さえ部材１２０，１２１）と、
を備えていることを特徴とする特徴１に記載の遊技機。
【０１５５】
特徴２によれば、押さえ部材に、前側押圧部および後側押圧部が形成されているので、ひとつの押さえ部材で前側透明板および後側透明板を押圧することが可能である。よって、押さえ部材を設けることにより前後の押圧部を設けることができるので、設置作業の工数を減じることができる。
【０１５６】
なお、押さえ部材自体が前後に撓むことが可能である場合は、以下のような作用を有する。
【０１５７】
透明板を挿入する作業において、１枚目の透明板を挿入する際は、押さえ部材は透明板に押されて透明板と反対側に撓み（例えば、前側透明板を挿入する際は、後方に撓み）、押さえ部材と当接部との間隙が広がるので、円滑に透明板を挿入することができる。
【０１５８】
一方、１枚目の透明板が挿入された後は、挿入された透明板側への押さえ部材の撓みはその透明板によって抑制される。よって、２枚目の透明板を挿入する際は、押さえ部材と当接部との間隙が広がることが抑制され、２枚目の透明板は押圧部により一定以上の力で当接部へ押圧されながら挿入される。２枚目の透明板の挿入作業においては、１枚目の透明板が作業の妨げになる場合があり、誤って手を放して２枚目の透明板を落下させる不都合も考えられる。しかし、上記のように２枚目の透明板は押圧部により一定以上の力で当接部に押し付けられながら挿入されるので、透明板が無抵抗状態で落下することがなく、上記不都合が生じる可能性を低減させることができる。
【０１５９】
前後の透明板を挿入した後は、押さえ部材の前後方向の撓みは抑制され、前後の透明板はそれぞれの当接部と押圧部とによって好適に保持される。
【０１６０】
これにより、透明板の円滑な挿入作業が可能になるととともに、設置後は透明板を確実に保持させることができる。
【０１６１】
特徴３．内底面を前記開口部側に向けて前記前面扉の背面に設けられ、前記前側透明板及び前記後側透明板が挿入された溝部を備え、
前記溝部の前側の内側面の少なくとも一部を前記前側当接部とし、前記溝部の後側の内側面の少なくとも一部を前記後側当接部とし、前記溝部の内底面の少なくとも一部を前記押さえ部材固定部とすることを特徴とする特徴２に記載の遊技機。
【０１６２】
特徴３によれば、押さえ部材の前側押圧部により前側透明板は溝部の前側の内側面に押し付けられ、押さえ部材の後側押圧部により後側透明板は溝部の後側の内側面に押し付けられる。また、押さえ部材の一端は内底面に固定されている。同じ溝部に前側透明板、押さえ部材、後側透明板を設ければよいので、従来のように前側透明板用と後側透明板用の溝部を前後に並べて２条形成する必要がなく、１条の溝部を形成するだけでもよいので設計の自由度が向上する。
【０１６３】
また、１条の溝部に前後の透明板が挿入されるので、２条の溝部に前後の透明板をそれぞれ挿入させる場合と比較して溝部を広く形成できるので、透明板を挿入させる際に、透明板の前後に存在する溝部の壁が妨げになる可能性を減じることができる。
【０１６４】
溝部としては、例えば、前面扉と一体に成型された合成樹脂製のものや、前面扉の背面に透明板に沿って鋼材が固定されたもの等が採用される。
【０１６５】
特徴４．前記前面扉の背面に当接部材（補強部材１０７Ｌ，Ｒ）が固定され、
前記当接部材は、
前記前面扉の背面側から後方へ延びる後延部（後延部１０９）と、その後端から前記開口部側へ延びて前記背面と対向する対向部（対向部１１０）と、
を備え、
前記後延部の少なくとも一部が前記押さえ部材固定部であり、前記対向部の少なくとも一部が前記後側当接部であり、前記前面扉の背面の少なくとも一部が前記前側当接部であることを特徴とする特徴２又は３に記載の遊技機。
【０１６６】
特徴４によれば、押さえ部材の前側押圧部により前側透明板は前面扉の背面に押し付けられ、押さえ部材の後側押圧部により後側透明板は当接部材の対向部に押し付けられる。また、押さえ部材は当接部材の後延部に固定されている。
【０１６７】
これにより、前面扉の背面を前側当接部として面積を広く（例えば、開口部にかからない程度に広く）利用することもできる。よって、前側透明板の広い面積を大型の前側押圧部で押さえつけることも可能であり、前面扉に透明板を確実に保持させることができる。
【０１６８】
また、前面扉の背面を前側当接部として利用しているので、別部材の用意等をする必要がなく、生産性に優れる。
【０１６９】
なお、当接部材としては、前面扉の背面の左右に上下方向に延ばして固定したり、前面扉の背面の上下に左右方向に伸ばして固定したりする等して、前面扉を補強する機能を持たせることができる。
【０１７０】
特徴５．前記前面扉の背面の前記開口部の周縁にはリブ部（リブ部１０４）が形成されており、
前記前側当接部は、
その後端部が前記リブ部の後端部と同一平面上に位置するように形成されていること（突条部１０５）を特徴とする特徴１乃至４のいずれか１つに記載の遊技機。
【０１７１】
特徴５によれば、前面扉の背面の開口部の周縁にはリブ部が形成されているので、開口部の周囲のひびや欠け等の破損を防止することができる。
【０１７２】
また、前面扉の背面に設けられた前側当接部はリブ部の透明板に接触する面と同一平面上に形成されているので、前側透明板の前面は、開口部の周縁に対応する箇所がリブ部に接触し、その他の一部（例えば、縁部）が前側当接部に接触する。よって、開口部の周縁にリブ部を設けた遊技機において安定して前側透明板を設置することができ、前側透明板が傾く等することがない。よって、開口部の周縁と前側透明板の間に隙間ができ、当該隙間から不正を行うための器具等が侵入する等の不都合を解消することができる。
【０１７３】
なお、前側当接部とリブ部とは一部が面一に連通している場合もある。この場合は、前側透明板に当接する前面扉の背面部分が増えるので、さらなる前側透明板の設置安定性の向上を期待することができる。
【０１７４】
特徴６．前記押さえ部材は、前記後側当接部の前記後側透明板が挿入される側の端部より、前記後側透明板が挿入される側に、一部が突き出した位置に設けられていることを特徴とする特徴２乃至５のいずれか１つに記載の遊技機。
【０１７５】
特徴６によれば、透明板を挿入する際に、透明板の先に挿入する端部を、押さえ部材の突き出している部分に沿わせながら挿入することにより、透明板が押さえ部材と当接部との間に案内されるので、透明板の挿入作業を円滑に行うことができる。具体的には、例えば、透明板が上方から挿入され、透明板の左右の縁部が押さえ部材と縁部当接部との間に挿入される場合は、まず、透明板の下端の左右の縁部を上方に突き出した押さえ部材に沿わせる。次いで、透明板を下方に押し下げて行くことにより、透明板の左右の縁部は押さえ部材に案内され、円滑に押さえ部材と縁部当接部との間に挿入される。
【０１７６】
特徴７．前記押さえ部材は、棒状の締結具（ネジ１１９）により前記押さえ部材固定部に固定されており、
前記締結具は、前記前側透明板および前記後側透明板の挿入方向とほぼ直交し、かつ前記前側透明板および前記後側透明板にほぼ平行となる方向へ延びていることを特徴とする特徴２乃至６のいずれか１つに記載の遊技機。
【０１７７】
特徴７によれば、透明板が挿入される際に、押さえ部材は、透明板との摩擦力等により透明板の挿入方向の力を受ける。また、前後の透明板により前後方向の力を受ける。
【０１７８】
一般的に、棒状の締結具は、その締結具を引き抜く方向の力に対しては、他の方向の力と比較して大きな締結力を発揮できない場合がある。しかし、本特徴における押さえ部材は棒状の締結具で固定されており、前記締結具は、透明板の挿入方向に対してほぼ直交し透明板にほぼ平行となる方向へ延びているので、締結具を引き抜く方向に大きな力がかかりにくい。
【０１７９】
よって、押さえ部材が押さえ部材固定面から外れる等の不都合が生じる可能性を低減させることができる。
【０１８０】
具体的には、例えば、透明板が上方から挿入され、左右の縁部が押さえ部材と縁部当接部との間に挿入される場合は、押さえ部材は左右方向に挿入されている締結具によって、押さえ部材固定部に固定されている。押さえ部材が透明板に押されることに伴い、棒状の締結具には主に下方向および前後方向の力がかかり、その締結具を引き抜く方向（この場合は左右方向）には、他の方向の力と比較して大きな力はかからない。よって、上記のように押さえ部材が押さえ部材固定面から外れる等の不都合が生じる可能性を低減させることができる。
【０１８１】
特徴８．前記押さえ部材の、前記前側押圧部および前記後側押圧部を挟んだ両側が、前記押さえ部材固定部に締結具で固定されていることを特徴とする特徴２乃至７のいずれか１つに記載の遊技機。
【０１８２】
特徴８によれば、押さえ部材は、前側押圧部および後側押圧部を挟んだ両側を固定されており、締結具が押圧部の変形の妨げにならないので、透明板から力を受けた際に、押圧部は好適に弾性変形することができる。
【０１８３】
また、押さえ部材は、両側を締結具に固定されているので、押さえ部材自体が大きく歪むことを低減でき、押さえ部材の破損や外れ等の不都合が生じる可能性を低減させることができる。
【０１８４】
なお、特徴６における押さえ部材の突き出した位置に該当する部分が締結具により固定されているように構成すると、透明板を挿入させる際に透明板を沿わせる当該部分が締結具により固定されているので、透明板は安定して押さえ部材に案内され、さらに円滑な挿入作業に貢献できる。
【０１８５】
特徴９．以下の（１）（２）のうち、少なくとも一方の構成を備えたことを特徴とする特徴１乃至８のいずれか１つに記載の遊技機。
（１）前記前側押圧部は、前記前側透明板の挿入される方向の下流側へいくほど前記前側当接部側へ突出する滑らかな曲面部を有し、
前記前側透明板が挿入される場合には、前記前側透明板の挿入先端側の端部が前記前側押圧部の前記曲面部に当接する構成。
（２）前記後側押圧部は、前記後側透明板の挿入される方向の下流側へいくほど前記後側当接部側へ突出する滑らかな曲面部を有し、
前記後側透明板が挿入される場合には、前記後側透明板の挿入先端側の端部が前記後側押圧部の前記曲面部に当接する構成。
【０１８６】
特徴９によれば、透明板を挿入する際に透明板の挿入先端側が当接する押圧部の曲面部が、当接部側へ突出する滑らかな曲面部を有しているので、透明板は挿入先端側が押圧部に当接してから、挿入されるにともない、当接部側に近づけられるようにして、円滑に挿入される。
【０１８７】
特徴１０．前記押さえ部材は、前記透明板の挿入方向に並べて複数設けられており（押さえ部材１２０，１２１）、
前記挿入方向の上流側に設けられた押さえ部材（押さえ部材１２０）より、前記挿入方向の下流側に設けられた押さえ部材（押さえ部材１２１）の方が、前後方向に厚く形成されていることを特徴とする特徴２乃至９のいずれか１つに記載の遊技機。
【０１８８】
特徴１０によれば、透明板の挿入方向の上流側に設けられた押さえ部材より、その下流側に設けられた押さえ部材の方が、前後方向に厚く形成されている。このように構成されているので、透明板を挿入する際に、挿入開始時の透明板がまだ不安定な状態では上流側の押さえ部材により比較的小さい押圧力で押圧され、挿入していくと下流側の押さえ部材により比較的大きい力で押圧される。よって、挿入時は透明板を挿入しやすく、かつ、挿入後は透明板を安定させて設置することができる。
【０１８９】
なお、下流側の押さえ部材は、上流側の押さえ部材より全体的に厚く形成しても、一部分のみを厚く形成してもよい。
【０１９０】
また、押さえ部材が挿入方向に３つ以上並べて設けられている場合は、下流側にいくにつれて押さえ部材を厚く形成してもよいし、最も上流側に設けられている押さえ部材より厚く形成されている押さえ部材を下流側に少なくとも１つ設けてもよい。
【０１９１】
特徴１１．前記前側押圧部および前記後側押圧部のうち少なくとも一方は、
前記前側透明板および前記後側透明板のうち対応する透明板が挿入される際の挿入方向の一端側が前記押さえ部材に固定された固定端であり、他端側が自由端であることを特徴とする特徴２乃至１０のいずれか１つに記載の遊技機。
【０１９２】
特徴１１によれば、透明板を挿入する際に、透明板に押圧部が押され、押圧部の自由端側が固定端側を基端にして移動する。これにより、押圧部を変形させることができ、透明板の挿入を円滑にさせることができる。
【０１９３】
特徴１２．前記前側押圧部および前記後側押圧部のうち少なくとも一方は、
前記挿入方向の上流側の端部が前記固定端であり、下流側の端部が前記自由端であることを特徴とする特徴１１に記載の遊技機。
【０１９４】
特徴１２によれば、透明板が挿入される際は、固定端側から透明板が挿入されるので、押圧部が固定端側を基端として自由端側が透明板と反対側に円滑に移動する（図１１（ａ）中の矢印Ｅ、図１１（ｂ）中の矢印Ｆ）。よって、透明板を挿入する際に押圧部にかかる無用な力（押圧部を縦方向に押しつぶす力等）を低減させることができ、透明板の挿入を円滑に行うことができる。すなわち、逆に、透明板が自由端側から挿入される場合は、押圧部の形状によっては、透明板が押圧部の自由端側を固定端側に押し込んでいくことになる。この場合、押圧部に無用な力（押圧部を透明板の挿入方向に押しつぶす力等）がかかり、押圧部が塑性変形や破損等する不都合が生じる可能性があるが、このような可能性を低減させることができる。
【０１９５】
特徴１３．前記前側当接部、前記後側当接部、前記押さえ部材固定部および前記押さえ部材のいずれかに設けられ、係合面が前記前側透明板および前記後側透明板の挿入方向の下流側を向いた第１の係合片（下向き係合片１２２）と、
前記挿入方向の上流側にあたる前記前側透明板および前記後側透明板の端部に設けられたカバー部材（カバー部材１４０）と、
を備え、前記カバー部材は、
前記前側透明板および前記後側透明板の前記端部に配置された本体部（カバー部１４４，間隙挿入部１４６）と、
前記第１の係合片と逆向きの係合面を有し、前記第１の係合片に係合された第２の係合片（上向き係合片１４２）と、
を備えていることを特徴とする特徴１乃至１２のいずれか１つに遊技機。
【０１９６】
特徴１３によれば、前記カバー部材は、挿入方向の下流側を向いた係合面を有する第１の係合片と、第１の係合片と逆向きの係合面を有する第２の係合片を係合させることにより、透明板の端部に設置される。すなわち、当該挿入方向の上流側を向いた係合面と下流側を向いた係合面とが当接している。よって、透明板の端部によって本体部が押される等してカバー部材を外す方向の力（透明板の挿入方向の下流側方向への力）がかかると、係合面同士が、係合面に対して押し合うことになる（係合片同士は互いに引っ張り合うことになる）。よって、係合片同士の係合が解かれる可能性を低減させ、カバー部材が外れるのを防止でき、ひいては透明板が前面枠から抜ける（透明板の挿入方向の下流側へ移動する）のを防止することができる。
【０１９７】
また、カバー部材を前側透明板および後側透明板の縁部に覆うように設置した場合は、前後の透明板の間にできた隙間を覆うことができ、その隙間から埃が入ったり悪戯により異物が投入されたりすることを防止することができる。
【０１９８】
特徴１４．前記第１の係合片は前記押さえ部材に設けられていることを特徴とする特徴１３に記載の遊技機。
【０１９９】
特徴１４によれば、第１の係合片が押さえ部材に形成されているので、押さえ部材自体の位置を調整することにより、第１の係合片の位置を、第２の係合片と係合するのに好適な位置に調整することができる。
【０２００】
また、押さえ部材を設けることにより第１の係合片を設けることができるので、設置作業の工数を減じることができる。
【０２０１】
特徴１５．前記カバー部材は、前記本体部から前記開口部側に延びた係合部（Ｕ字状係合部１４１）を備え、
前記第２の係合片は前記係合部に設けられており、
前記押さえ部材の前記第１の係合片は前記係合部側に設けられており、
前記押さえ部材は、前記押さえ部材固定部と前記係合部とに挟まれた位置にあることを特徴とする特徴１４に記載の遊技機。
【０２０２】
特徴１５によれば、押さえ部材は押さえ部材固定部と係合部に挟まれた位置にあるので、押さえ部材が押さえ部材固定部から離間する方向へ移動することを防止することができ、ひいては押さえ部材が押さえ部材固定部から外れることを防止できる。
【０２０３】
特に、特徴７のような、押さえ部材固定部から離間する方向の締結具の締結力が他の方向と比較して強いとはいえない場合のある構成に適用した場合は、当該方向への押さえ部材の移動を防止できるので好適である。
【０２０４】
特徴１６．前記係合部は、前記押さえ部材側へ付勢されていることを特徴とする特徴１５に記載の遊技機。
【０２０５】
特徴１６によれば、押さえ部材は、係合部により押さえ部材固定部側に押し付けられるので、特徴１５と比較して、さらに、押さえ部材が押さえ部材固定部から離間する方向へ移動することを防止できる。
【０２０６】
特徴１７．前記係合部は、
前記本体部から前記開口部側へ延びて前記押さえ部材の前記第１の係合片側に曲折し、先端側が前記本体部側へ反り返る自由端であるＵ字状に形成され、
前記係合部の前記自由端側に前記第２の係合片が設けられていることを特徴とする特徴１５又は１６に記載の遊技機。
【０２０７】
特徴１７によれば、係合部は、Ｕ字状の撓みやすい形状に形成されており、かつその自由端側に第２の係合片が形成されている。よって、係合部が撓むことにより第２の係合片の移動範囲が広がり、第１の係合片に円滑に係合させることができる。また、係合部自体が撓みやすい形状に形成されているので、係合部と本体部との間に生じる剪断力や曲げモーメントを抑制することができ、係合部と本体部の境目が破断等する可能性を減じることができる。
【０２０８】
特徴１８．前記本体部には、前記Ｕ字状に形成された前記係合部の先端側に対応する部分に緩挿孔（緩挿孔１４５）が開口して形成されており、
前記Ｕ字状に形成された前記係合部の先端側は、前記緩挿孔から突き出しており、かつ前記緩挿孔内を前記押さえ部材の前記第１の係合片から離間する方向に移動可能であることを特徴とする特徴１７に記載の遊技機。
【０２０９】
特徴１８によれば、本体部の緩挿孔から突き出した係合部の先端側を、押さえ部材と離間する方向に移動させることによって、係合部自体が押さえ部材と離間する方向に撓み、第２の係合片を第１の係合片から外すことができる。よって、係合部の先端側を移動させることにより、容易にカバー部材を取り外すことができる。
【０２１０】
特徴１９．前記押さえ部材の前記カバー部材側および前記カバー部材の前記押さえ部材側のいずれか一方には挿入ピン（挿入ピン１２７）が突設されており、
他方には、前記挿入ピンに対応する部位に挿入孔（挿入孔１４３）が形成されており、
前記挿入ピンは前記挿入孔に挿入されていることを特徴とする特徴１４乃至１８のいずれか１つに記載の遊技機。
【０２１１】
特徴１９によれば、前面扉にカバー部材を設置する際に、挿入ピンを挿入孔に挿入させながら設置することにより、カバー部材の設置位置が案内されるので、カバー部材を容易に設置することができる。
【０２１２】
特徴２０．前記遊技部品は、弾球が飛翔する遊技領域（遊技領域ＰＥ）が形成された遊技盤（遊技盤８１）であることを特徴とする特徴１乃至１９のいずれか１つに記載の遊技機。
【０２１３】
特徴２０によれば、弾球が後側透明板に衝突するために騒音発生等の不都合が生じやすく透明板のガタツキが特に問題とされる遊技機（例えば、パチンコ機）に特徴１乃至特徴１９の構成を適用できるので好適である。
【０２１４】
特徴２１．遊技機前面に配置されるとともに前方へ開放可能に設けられた前面扉を備えている遊技機において、
前記前面扉は、
前記前面扉より後方に配置されている遊技部品を前記遊技機の前方から視認可能とする開口部と、
前記開口部を覆うように配設された透明板と、
前記透明板の前面側または後面側が当接した当接部と、
前記当接部から前記透明板の厚さより小さい間隔をあけて、前記当接部に対向して設けられた弾性変形可能な押圧部と、
を備え、
前記透明板は、前記押圧部と前記当接部との間に挿入されており、かつ、前記押圧部により前記当接部に押し付けられていることを特徴とする遊技機。
【０２１５】
特徴２１の遊技機では、押圧部が当接部に対向させて設けられているので、押圧部により押圧された透明板は、当接部に押し付けられ、押圧部と当接部との間に挟まれて保持される。
【０２１６】
よって、透明板は確実に前面扉に設置され、透明板のガタつき等を抑えることができる。
【０２１７】
透明板の設置作業を行うにあたって主な障害となるものは、透明板に対応した当接部と押圧部だけである。押圧部が設けられた状態で透明板を挿入させると、押圧部は透明板に押され、当接部と離間する方向へ弾性変形する。これにより、当接部と押圧部との間隔が広がる。よって、従来考えられているような、幅が透明板の厚さとほぼ同一に形成されている溝部に透明板を挿入する際に、両内側壁が障害となる場合と比較して、容易に透明板を挿入することができる。
【０２１８】
当接部と離間する方向へ弾性変形した押圧部は初期状態に復帰しようとするので、この押圧部により透明板は当接部に押し付けられ、透明板は確実に前面扉に設置される。
【０２１９】
また、例えば、遊技機は、透明板の破損防止のために透明板が外された状態で遊技場等に搬送される場合もある。この場合は、各押圧部を取り付けた状態で搬送することもでき、遊技場等において押圧部の取り付け作業を行う必要がなく透明板を差し込むだけで透明板が前扉に固定されるので、円滑に作業をすすめることができる。
【０２２０】
透明板としては、板ガラスやアクリル板等が用いられる。特に、板ガラスを前後に並べて配置する場合は、遊技機への磁石等による不正行為や、パチンコ球が透明板に衝突することによる騒音等の不都合を低コストで生じにくくすることができる。
【０２２１】
押圧部の形状としては、半球状やアーチ状の当接部に向かって張り出した形状が好ましい。
【０２２２】
透明板としては、板ガラスやアクリル板等が用いられる。
【０２２３】
当接部としては、例えば、面一の面を有するものや同一突出量の突部が複数配列されたもの等が採用される。
【０２２４】
特徴２２．遊技機前面に配置されるとともに前方へ開放可能に設けられた前面扉を備えている遊技機において、
前記前面扉は、
前記前面扉より後方に配置されている遊技部品を前記遊技機の前方から視認可能とする開口部と、
前記開口部を覆うように配設された透明板と、
前記透明板の対向する縁部が挿入される一対の縁部挿入部と、
前記縁部挿入部に設けられ、係合面が前記透明板の挿入方向の下流側を向いた第１の係合片と、
前記挿入方向の上流側にあたる前記透明板の端部に設けられたカバー部材と、
を備え、前記カバー部材は、
前記透明板の前記端部に配置された本体部と、
前記第１の係合片と逆向きの係合面を有し、前記第１の係合片に係合された第２の係合片と、
を備えていることを特徴とする遊技機。
【０２２５】
特徴２２の遊技機では、前記カバー部材は、挿入方向の下流側を向いた係合面を有する第１の係合片と、第１の係合片と逆向きの係合面を有する第２の係合片を係合させることにより、透明板の端部に設置される。すなわち、カバー部材を透明板の端部へ脱着する方向に対してほぼ垂直な係合面を有する係合片同士が係合している。よって、透明板の端部によって本体部が押される等してカバー部材を外す方向の力（透明板の挿入方向の下流側への力）がかかると、係合面同士が、係合面に対してほぼ垂直方向に押し合うことになる（係合片同士は互いに引っ張り合うことになる）。よって、係合片同士の係合が解かれる可能性を低減させ、カバー部材が外れるのを防止でき、ひいては透明板が前面枠から抜ける（透明板の挿入方向の下流側へ移動する）のを防止することができる。
【０２２６】
特徴２３．遊技機前面に配置されるとともに前方へ開放可能に設けられた前面扉（前面扉１４）と、発射された遊技球が通過する発射球通路と、を備えている遊技機（パチンコ機１０）において、
前記発射球通路の少なくとも一部は前記前面扉に設けられた前面扉側発射球通路（発射球規制部材２００）であり、前記前面扉側発射球通路以外の前記発射球通路は、前記前面扉より後方に設けられた後方側発射球通路（内，外レール部９５，９６）であり、
前記前面扉側発射球通路は、前記前面扉の背面側の一部を覆うようにして設けられていることを特徴とする遊技機。
【０２２７】
特徴２３の遊技機では、発射球通路の一部である前面扉側発射球通路が前面扉の背面に設けられているので、前面扉を前方へ開放した場合に、発射球通路が前面扉側発射球通路と後方側発射球通路とに分離する。よって、上記各発射球通路の清掃等が行いやすくメンテナンス性の向上に貢献できる。
【０２２８】
また、前面扉側発射球通路は、前面扉の背面側の一部を覆うようにして設けられているので、たとえ前面扉の背面に凹凸部が存在していたとしても、発射された遊技球が前面扉側の凹部に落ち込むのを防止できるとともに、発射された遊技球が当該凹凸部に衝突して減勢されることを防止することができる。
【０２２９】
また、前面扉側発射球通路を設けることにより、発射された遊技球を前面扉側の上記凹凸部を避けて通過させる必要性がなくなるので、後方側発射球通路を上記必要性に制限されることなく配置することができ、設計の自由度の向上に貢献することができる。
【０２３０】
従来では、例えば、パチンコ機等の遊技機においては、発射球通路に対応する前面扉の部位は凹凸部を少なくするためにガラス部分の面積を広くする等していた。（例えば、特開２００６−１９２０１７号公報）
しかし、発射球通路に対応させてガラス部分の形状等を設計する必要があることも考えられ、設計の自由度を圧迫していることが想定されていた。
【０２３１】
因みに、特徴２乃至特徴２０のいずれか１つを、上記特徴２１に適用してもよい。
【０２３２】
この場合、特徴２を適用する場合は、特徴２の「前記前側透明板と前記後側透明板との間の位置」を「前記当接部から透明板を挟んだ位置」と、「前側に前記前側押圧部が形成され後側に前記後側押圧部が」を「前後のいずれか一方に前記押圧部が」と読み替える。
【０２３３】
特徴３を適用する場合は、特徴３の「前記溝部の前側の内側面を前記前側当接部とし、前記溝部の後側の内側面を前記後側当接部とし」を「前記溝部の前後の内側面のいずれか一方を前記当接部とし」と読み替える。
【０２３４】
特徴４を適用する場合は、特徴４の「前記対向部が前記後側当接部であり、前記前面扉の背面が前記前側当接部である」を「前記対向部および前記前面扉の背面のいずれか一方が前記当接部である」と読み替える。
【０２３５】
特徴５を適用する場合は、特徴５の「前記前側当接部は、前記前面扉の背面の前記前側押圧部に」を「前記当接部は、前記前面扉の背面の前記押圧部に」と読み替える。
【０２３６】
特徴６を適用する場合は、特徴６の「前記後側当接部」を「前記当接部」に、「前記後側透明板」を「前記透明板」に読み替える。
【０２３７】
特徴７を適用する場合は、特徴７の「前記前側透明板および前記後側透明板」を「前記透明板」に読み替える。
【０２３８】
特徴８を適用する場合は、特徴８の「前記前側押圧部および前記後側押圧部」を「前記押圧部」に読み替える。
【０２３９】
特徴９を適用する場合は、特徴９の全部を「前記押圧部は、前記透明板の挿入される方向の下流側へいくほど前記当接部側へ突出する滑らかな曲面部を有し、前記透明板が挿入される場合には、前記透明板の挿入先端側の端部が前記押圧部の前記曲面部に当接することを特徴する遊技機」に読み替える。
【０２４０】
特徴１０を適用する場合は、特徴１０の「前後方向に厚く形成されている」を「前記当接部との間隔を狭く形成されている」と読み替える。
【０２４１】
特徴１１を適用する場合は、特徴１１の「前記前側押圧部および前記後側押圧部のうち少なくとも一方は、前記前側透明板および前記後側透明板のうち対応する透明板が」を「前記押圧部は、前記透明板が」に読み替える。
【０２４２】
特徴１２を適用する場合は、特徴１２の「前記前側押圧部および前記後側押圧部のうち少なくとも一方は」を「前記押圧部は」に読み替える。
【０２４３】
特徴１３を適用する場合は、特徴１３の「前記前側当接部、前記後側当接部」を「前記当接部」に、「前記前側透明板および前記後側透明板」を「前記透明板」に読み替える。
【０２４４】
また、特徴１７乃至特徴２１のいずれか１つを上記特徴２２に適用してもよい。
【０２４５】
この場合、特徴１７を適用する場合は、特徴１７の「前記係合部は」を「前記カバー部材は係合部を備え、前記係合部は」と、「前記押さえ部材の前記第１の係合片側に」を「前記第１の係合片側に」と読み替える。
【０２４６】
特徴１８及び１９を適用する場合は、特徴１８及び１９の「押さえ部材」を「縁部挿入部」と読み替える。
【０２４７】
また、特徴１乃至特徴２２のいずれか１つを上記特徴２３に適用してもよい。
【０２４８】
以下に、以上の各特徴を適用し得る各種遊技機の基本構成を示す。
【０２４９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２５０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して前記複数の絵柄の可変表示が停止され、その停止後の絵柄に応じて遊技者に特典を付与する遊技機。
【符号の説明】
【０２５１】
１０…パチンコ機（遊技機）、１３…本体枠、１４…前面扉、２１…開口部、６１…突起軸、６２…被支持部材、６３…支持部材、８１…遊技盤、９５…内レール部、９６…外レール部、１０１…前側板ガラス（前側透明板）、１０２…後側板ガラス（後側透明板）、１０４…リブ部、１０５…突条部（前側当接部）、１０６…スピーカー収容部、１０７Ｌ…先端側補強部材、１０７Ｒ…基端側補強部材、１０８…固定部、１０９…後延部（押さえ部材固定部）、１１０…対向部（後側当接部）、１１２…下側支持枠、１１３…上側補強枠、１１５…ネジ孔、１１９…ネジ（棒状の締結具）、１２０…上側押さえ部材、１２１…下側押さえ部材、１２２…係合片（第１の係合片）、１２３…ネジ孔、１２４…ネジ挿入筒、１２５…押圧部、１２７…挿入ピン、１４０…カバー部材、１４１…Ｕ字状係合部、１４２…係合片（第２の係合片）、１４３…挿入孔、１４４…カバー部（本体）、１４５…緩挿孔、１４６…間隙挿入部（本体）、１４７…嵌め込み部、２００…発射球規制部材、２０１…蓋部、２０２…立設部、２０３…立設部、ＰＥ…遊技領域
【図１】
2010227506.tif 000003
【図２】
2010227506.tif 000004
【図３】
2010227506.tif 000005
【図４】
2010227506.tif 000006
【図５】
2010227506.tif 000007
【図６】
2010227506.tif 000008
【図７】
2010227506.tif 000009
【図８】
2010227506.tif 000010
【図９】
2010227506.tif 000011
【図１０】
2010227506.tif 000012
【図１１】
2010227506.tif 000013